(57)【特許請求の範囲】
【請求項１】
シートベルトアンカーに、回動により開閉自由なエンジンカバーを挟んで前端部が連結され、横断面が前後方向に長いループ状のアーム部材と、
板状部材を、その車幅方向の中央部が車両の前後方向に沿って下方に突出するよう略Ｕ字状に屈曲して形成され、この屈曲された屈曲部の後端部に鉤状の係合溝を有し、前記係合溝より前方部分が、車両側方から見て略三角形状に前方へ向けて末狭まる形状を有すると共に、前記エンジンカバーの後方に位置するフロアパネルの下面に上端面が固定されたフック部材と、を備え、
前記係合溝は、常時は、前記エンジンカバーの開閉動作を許容するように前記アーム部材の後端部と非係合状態であり、前記シートベルトアンカーが過大な外力を受けて前記フロアパネルに対し車両前方に相対移動したときに、前記アーム部材後端部と係合するようにしたことを特徴とするシートベルトアンカーのロック装置。
【請求項２】
前記フック部材の上端縁の前記係合溝より前方部分の一部を切り欠いたことを特徴とする請求項１に記載のシートベルトアンカーのロック装置。
【請求項３】
前記シートベルトアンカーと前記アーム部材前端部は、エンジンカバーを貫通するボルトによって締結されていることを特徴とする請求項１または請求項２に記載のシートベルトアンカーのロック装置。
【請求項４】
前記シートベルトアンカーと前記アーム部材前端部は、エンジンカバーに溶接で固定されていることを特徴とする請求項１または請求項２に記載のシートベルトアンカーのロック装置。
【請求項５】
前記フック部材と前記フロアパネルは、ボルトによって締結されていることを特徴とする請求項１〜請求項４のいずれか１つに記載のシートベルトアンカーのロック装置。
【請求項６】
前記フック部材と前記フロアパネルは、溶接で固定されていることを特徴とする請求項１〜請求項４のいずれか１つに記載のシートベルトアンカーのロック装置。
【請求項７】
前記アーム部材は、
Ｕ字状に屈曲された丸棒部材と、
前記丸棒部材の相互に離れた前端部相互を連結すると共に、前記エンジンカバーに固定されるフランジ部材と、
で構成されていることを特徴とする請求項１〜請求項６のいずれか１つに記載のシートベルトアンカーのロック装置。
【発明の詳細な説明】
【技術分野】
【０００１】
本発明は、シートベルトアンカーのロック装置に関し、特に、強度を向上させたものに関する。
【背景技術】
【０００２】
従来のシートベルトアンカーのロック装置として特許文献１に記載のものがある。特許文献１に記載のものは、車両の衝突等によって、シートベルトアンカーに引張荷重が作用すると、ループ状のアーム部材へ荷重が伝達され、アーム部材後端部が、車両強度部材に取り付けられた板状のフック部材に形成された鉤状の係合溝と係合する。これにより、アーム部材とフック部材とがロックされ、以てシートベルトアンカーを車両強度部材にロックする構成である。
【特許文献１】実開平６−１０３７号公報
【発明の開示】
【発明が解決しようとする課題】
【０００３】
特許文献１に記載のものは、シートやシートベルトアンカーから車両後方の車両強度部材（リアクロスメンバー）までの距離が短いため、フック部材をリアクロスメンバーの背面に直接固定できる。このため、車両の衝突時等にフック部材に加わる車両前方向（上方向を含む）への荷重を、フック部材の前方のリアクロスメンバーで確実に支持できる。
しかしながら、特許文献１に記載のものに比べてシートやシートベルトアンカーからリアクロスメンバーまでの距離が長い車両では、フック部材をリアクロスメンバーに直接固定できず、エンジンカバーとリアクロスメンバーとの間に位置するフロアパネルの下面にフック部材を固定する必要がある。
【０００４】
この場合、略水平なフロアパネル下面に固定されるフック部材（特に、係合溝より車両前方部分）の強度が低いと、車両の衝突時等にアーム部材後端部と係合溝とが一旦は係合しても、該係合の衝撃によってフック部材がフロアパネルごと変形し、該係合が解除される恐れがあった。
本発明は、以上のような従来の問題点に鑑みてなされたものであり、フロアパネル下面に固定され係合溝を有するフック部材（特に、係合溝より車両前方部分）を従来のものに比べて強化して、車両の衝突時等にシートベルトアンカーから荷重が伝達されるアーム部材の後端部と、係合溝と、の係合後も該係合をより確実に維持し、車両の衝突等から乗員をより確実に保護できるシートベルトアンカーのロック装置を提供することを目的とする。
【課題を解決するための手段】
【０００５】
このため本発明は、シートベルトアンカーに、回動により開閉自由なエンジンカバーを挟んで前端部が連結され、横断面が前後方向に長いループ状のアーム部材と、板状部材を、その車幅方向の中央部が車両の前後方向に沿って下方に突出するよう略Ｕ字状に屈曲して形成され、この屈曲された屈曲部の後端部に鉤状の係合溝を有し、前記係合溝より前方部分が、車両側方から見て略三角形状に前方へ向けて末狭まる形状を有すると共に、前記エンジンカバーの後方に位置するフロアパネルの下面に上端面が固定されたフック部材と、を備え、前記係合溝は、常時は、前記エンジンカバーの開閉動作を許容するように前記アーム部材の後端部と非係合状態であり、前記シートベルトアンカーが過大な外力を受けて前記フロアパネルに対し車両前方に相対移動したときに、前記アーム部材後端部と係合するような構成とした。
【発明の効果】
【０００６】
かかる構成によれば、車両の衝突等にともない、シートベルトアンカーに過大な外力が加わった場合、まず、エンジンカバーが変形ないし破壊され、アーム部材の前端部が後方の車体部材に対し、外力を受けた方向に相対移動する。
そして、ループ状のアーム部材の後端部と、係合溝と、が係合し、該係合の衝撃によって、フック部材の係合溝より車両前方部分（以下、フック部材前方部と記す）は、大きな曲げモーメントを受ける。
【０００７】
ここで、フック部材前方部は、車両側方から見て略三角形状に前方へ向けて末狭まる形状を有することで断面係数が大きくなっており、大きな曲げモーメントを受けても変形しにくい。また、フック部材は、２つの係合溝が協働してアーム部材後端部を受け入れて係合させる。このため、フック部材は、フック部材前方部および係合溝を夫々１つずつしか有さないフック部材と比べて、車両の衝突時等にアーム部材後端部と前記係合溝との係合に伴う衝撃を受けても変形しにくい。したがって、前記係合が解除されにくく、確実に車両の衝突等から乗員を保護できる。
【発明を実施するための最良の形態】
【０００８】
以下に、本発明の第１実施形態について説明する。
本実施形態はキャブオーバー型トラックのキャブに適用した形態であり、図１には、本実施形態の縦断面図を示す。図１おいて、車室１の背部のリアクロスメンバー２には、ボルト３とナット３ａとにより、フロアパネル４が固定されている。フロアパネル４には、エンジン（図示せず）を点検できるように、エンジンカバー６が、その車両前後方向後端部に設けられたヒンジ７を中心として矢印Ａに示すように回動自由に取り付けられている。リアクロスメンバー２およびフロアパネル４は、夫々、補強材のレインフォース２ａ，４ａを含んで構成され、エンジンカバー６に比べて高強度である。
【０００９】
アーム部材８は、車両上下方向から見てＵ字状に屈曲された丸棒部材８ｄの相互に離れた前端部の上端面に対し、平板状のフランジ部８ａの下面を溶接によって取り付けることで、これら前端部相互を連結し、以て、横断面（車両上下方向から見た状態）が車両前後方向に長いループ状とすることで形成される。そして、フランジ部８ａの上面は、エンジンカバー６の下面に固定されている。
【００１０】
また、エンジンカバー６の該フランジ部８ａが取り付けられた箇所に対向する上面には、シートベルト９と連結したシートベルトアンカー１０が、エンジンカバー６とフランジ部８ａとに一体に固定されている。なお、該一体固定では、車両上方から、シートベルトアンカー１０と、エンジンカバー６と、フランジ部８ａ（ボルト孔８ｃ）と、を貫通させて、ボルト１２をナット１４に対して締結しているが、該締結に代えて溶接で固定してもよい。
【００１１】
フック部材２０は、図２に示すように、板材を加工して形成され、該板材の肉厚が車幅方向であると共に、その後端部は鉤状に切り欠かれ、アーム部材８の後端部８ｂを受け入れて係合させる係合溝２０ａが設けられている。
また、フック部材前方部２０ｂは、車両側方から見て略三角形状に前方へ向けて末狭まる形状を有している。
【００１２】
さらに、前記板材の上端縁をフロアパネル４と平行となるように屈曲することで、フック部材２０のフランジ部２０ｃが形成されている。そして、フランジ部２０ｃにおけるボルト２２とナット２４との締結（２箇所）によって、フック部材２０は高強度のフロアパネル４下面（レインフォース４ａ）に固定されている。該固定状態では、フック部材前方部２０ｂの下端部がアーム部材８のループ内を通って下方へ突出し、アーム部材８のループ内ではフック部材前方部２０ｂの両側に夫々間隙が形成されている。
【００１３】
ここで、フック部材２０は、ボルト２２とナット２４との締結に代えて、溶接でフロアパネル４下面に固定してもよい。また、フック部材２０は、鍛造や鋳造によって形成してもよい。
なお、アーム部材後端部８ｂは、車両衝突時等にのみ係合溝２０ａと係合するものであり、常時（車両衝突時等以外）は係合溝２０ａの車両後方に位置し、係合溝２０ａと係合していない。そして、エンジン点検のため、エンジンカバー６を、ヒンジ７を中心として回動させると、アーム部材後端部８ｂは、係合溝２０ａと係合しないよう、ヒンジ７を中心として係合溝２０ａより外方の軌跡を移動する。
【００１４】
次に、本実施形態の作用を説明する。
まず、車両の衝突等により、シートベルトアンカー１０（シートベルトアンカー１０の取付け点）に車両前方向（上方向を含む）の一定以上の過大な引張荷重Ｂが入力されると、まず、エンジンカバー６が変形し、シートベルトアンカー１０とともに車室１後方のフロアパネル４に対して車両前方へ相対移動する。
【００１５】
これにより、エンジンカバー６からアーム部材８に荷重が伝達され、自由端であるアーム部材後端部８ｂは、矢印Ｃに示すように車両前方に移動する。そして、アーム部材後端部８ｂと係合溝２０ａとが係合し、アーム部材８とフック部材２０とはロック状態となり、以て、シートベルトアンカー１０に入力された荷重Ｂは、アーム部材８からフック部材２０を介して、フロアパネル４およびリアクロスメンバー２へと伝達される。
【００１６】
該係合によって、フック部材前方部２０ｂには、曲げモーメントＭが作用する。ここで、フック部材前方部２０ｂは、車両側方から見て略三角形状に前方へ向けて末狭まる形状を有するため、断面係数が大きく、該曲げモーメントＭに屈して変形しにくいことから、係合溝２０ａとアーム部材後端部８ｂとの係合が解除されにくい。
このようにして、アーム部材８とフック部材２０とがより確実にロックされる。以て、シートベルトアンカー１０を、高強度のリアクロスメンバー２に確実にロックできるので、車両衝突時等に乗員を十分に保護することができる。
【００１７】
なお、フック部材２０上端縁の係合溝２０ａより車両前方部分の一部を切り欠くと、フック部材前方部２０ｂの断面係数をほとんど低下させることなく、フック部材２０の重量を削減することができる。
次に、本発明の第２実施形態について説明する。
本実施形態は、フック部材２０に代えてフック部材３０を設けた点で、前記第１実施形態と相違する。
【００１８】
フック部材３０は、図３に示すように、板材を加工して形成され、該板材を、その車幅方向中央部が車両前後方向に沿って下方へ突出するよう略Ｕ字状に屈曲して形成され、該屈曲された前記中央部側面３０ｄの夫々の後端部は、アーム部材後端部８ｂを協働して受け入れて係合させる鉤状の係合溝３０ａ（一対）を形成している。
また、前記中央部側面３０ｄに含まれるフック部材前方部３０ｂ（一対）は、前記第１実施形態のフック部材前方部２０ｂと同様に、車両側方から見て略三角形状に前方へ向けて末狭まる形状を有している。
【００１９】
そして、前記板材の車幅方向の両端縁がフランジ部３０ｃとなっており、両フランジ部３０ｃは、ボルト３２とナット３４との締結（両フランジ部３０ｃに１箇所ずつ）によって、フロアパネル４下面（レインフォース４ａ）に固定され、以てフック部材３０がフロアパネル４下面に取り付けられている。なお、フック部材３０は、ボルト３２とナット３４との締結に代えて、溶接でフロアパネル４下面に固定してもよい。
【００２０】
ここで、フック部材３０は、フック部材前方部３０ｂを２つ有し、また、２つの係合溝３０ａが協働してアーム部材後端部８ｂを受け入れて係合させる。このため、フック部材３０と前記第１実施形態のフック部材２０との間でこれらを形成する板材の肉厚が同一であれば、フック部材３０は、フック部材前方部２０ｂおよび係合溝２０ａを夫々１つずつしか有さないフック部材２０と比べて、車両の衝突時等にアーム部材後端部８ｂと前記係合溝との係合に伴う衝撃を受けても変形しにくい。したがって、本実施形態では、前記第１実施形態と比べて、前記係合が解除されにくく、より確実に車両の衝突等から乗員を保護できる。
【００２１】
その他の作用等については、本実施形態は前記第１実施形態と同様である。
【図面の簡単な説明】
【００２２】
【図１】本発明の第１実施形態の縦断面図
【図２】本発明の第１実施形態のフック部材の斜視図
【図３】本発明の第２実施形態のフック部材の斜視図
【符号の説明】
【００２３】
４      フロアパネル
６      エンジンカバー
８      アーム部材
８ａ    フランジ部
８ｂ    アーム部材後端部
８ｄ    丸棒部材
１０    シートベルトアンカー
２０    フック部材
２０ａ  係合溝
２０ｂ  フック部材前方部
３０    フック部材
３０ａ  係合溝
３０ｂ  フック部材前方部
３０ｄ  中央部側面
【図１】
0004773212.tif 000002
【図２】
0004773212.tif 000003
【図３】
0004773212.tif 000004